(57)【要約】【課題】  安価な汎用のカラーモニタを用いてビデオカメラの解像度を正確に測定することを可能にする。【解決手段】  監視カメラ１Ａには、コンポジット信号を外部へ出力するためのコンポジット信号端子１ａと、輝度信号を外部へ出力するための輝度信号端子１ｂとが備えられ、撮像素子から入力される電気信号を基にコンポジット信号と輝度信号とを生成し、コンポジット信号をコンポジット信号端子１ａへ出力するとともに、輝度信号を輝度信号端子１ｂへ出力する回路が設けられている。【選択図】  図２
2008228172.tif 000002
【特許請求の範囲】
【請求項１】
ビデオカメラからのコンポジット信号を入力する入力端子と、
前記入力端子から入力されるコンポジット信号から輝度信号を抽出し出力する輝度信号抽出回路と、
前記輝度信号抽出回路から出力される前記輝度信号を外部へ出力する出力端子とが備えられたモジュール。
【請求項２】
コンポジット信号を外部へ出力するためのコンポジット信号端子と、
輝度信号を外部へ出力するための輝度信号端子とが備えられたビデオカメラ。
【請求項３】
撮像素子から入力される電気信号を基に前記コンポジット信号と前記輝度信号とを生成し、前記コンポジット信号を前記コンポジット信号端子へ出力するとともに、前記輝度信号を前記輝度信号端子へ出力する回路が設けられた請求項２に記載のビデオカメラ。
【請求項４】
撮像素子から入力される電気信号に所定の処理を施すことにより前記コンポジット信号を生成し出力する信号処理回路と、
前記信号処理回路から出力される前記コンポジット信号を入力し、前記コンポジット信号から前記輝度信号を抽出し、前記輝度信号端子へ出力する輝度信号抽出回路とが設けられ、
前記コンポジット信号が前記信号処理回路から前記コンポジット信号端子へも出力されるように構成された請求項２に記載のビデオカメラ。
【請求項５】
撮像素子から入力される電気信号に所定の処理を施すことにより前記輝度信号と色信号とを生成し出力する信号処理回路と、
前記信号処理回路から出力される前記輝度信号と前記色信号とを入力し、前記輝度信号と前記色信号とを混合して前記コンポジット信号を生成し、前記コンポジット信号端子へ出力する混合回路とが設けられ、
前記輝度信号が前記信号処理回路から前記輝度信号端子へも出力されるように構成された請求項２に記載のビデオカメラ。
【請求項６】
前記コンポジット信号端子と前記輝度信号端子とに共用される１つの共通端子が設けられ、前記共通端子から前記コンポジット信号と前記輝度信号とが切り替えられて選択的に出力されるように構成された請求項２に記載のビデオカメラ。
【請求項７】
前記共通端子から出力される前記コンポジット信号と前記輝度信号とを切り替えるための操作スイッチが設けられた請求項６に記載のビデオカメラ。
【請求項８】
撮像素子から入力される電気信号を基に前記コンポジット信号と前記輝度信号とを生成する第１の回路と、
前記第１の回路により生成される前記コンポジット信号と前記輝度信号とを前記共通端子へ切り替えて出力するための第２の回路とが設けられた請求項６に記載のビデオカメラ。
【請求項９】
撮像素子から入力される電気信号に所定の処理を施すことにより前記コンポジット信号を生成し出力する信号処理回路と、
前記信号処理回路から出力される前記コンポジット信号を入力し、前記コンポジット信号から前記輝度信号を抽出し出力する輝度信号抽出回路と、
前記信号処理回路から出力される前記コンポジット信号と、前記輝度信号抽出回路から出力される前記輝度信号とを入力し、前記共通端子へ前記コンポジット信号と前記輝度信号とを切り替えて出力可能な切替回路とが設けられた請求項６に記載のビデオカメラ。
【請求項１０】
撮像素子から入力される電気信号に所定の処理を施すことにより前記輝度信号と色信号とを生成し出力する信号処理回路と、
前記信号処理回路から出力される前記輝度信号と前記色信号とを入力し、前記輝度信号と前記色信号とを混合して前記コンポジット信号を生成し出力する混合回路と、
前記混合回路から出力される前記コンポジット信号と、前記信号処理回路から出力される前記輝度信号とを入力し、前記共通端子へ前記コンポジット信号と前記輝度信号とを切り替えて出力可能な切替回路とが設けられた請求項６に記載のビデオカメラ。
【請求項１１】
撮像素子から入力される電気信号に所定の処理を施すことにより前記輝度信号と色信号とを生成し出力する信号処理回路と、
前記信号処理回路から出力される前記色信号を入力し、前記色信号を出力する出力状態と無信号出力状態との切り替えが可能な切替回路と、
前記信号処理回路から出力される前記輝度信号と前記切替回路の出力信号とを入力し、前記輝度信号と前記切替回路の出力信号とを混合した信号を前記共通端子へ出力する混合回路とが設けられた請求項６に記載のビデオカメラ。
【請求項１２】
前記共通端子から出力される前記コンポジット信号と前記輝度信号との切り替えを制御する回路が設けられた請求項６に記載のビデオカメラ。
【請求項１３】
外部から入力される外部制御信号に基づいて前記共通端子から出力される前記コンポジット信号と前記輝度信号とが切り替えられるように構成された請求項６に記載のビデオカメラ。
【発明の詳細な説明】
【技術分野】
【０００１】
本発明は、ビデオカメラの解像度の測定時に用いるモジュール及びビデオカメラに関する。
【背景技術】
【０００２】
一般にカメラでは、その性能を検査するためテストチャートを撮影して解像度を測定している（例えば、特許文献１参照）。
【０００３】
防犯等に使用される監視カメラの場合も同様であり、例えば、ＪＥＩＴＡ（電子情報技術産業協会）規格（ＥＩＡＪ  ＴＴＲ−４６０２Ａ）に基づいて解像度を測定する場合、検査対象の監視カメラを用いて、ＥＩＡＪテストチャートＡ（以下、「解像度チャート」という）を撮影し、その撮影映像をモニタディスプレイ（以下、「モニタ」と略す）に表示し、撮影された解像度チャートのくさびパターンの白と黒の縞模様が判別可能な位置の本数を、くさびパターンに隣接して記入されている本数に基づいて目視により測定する。このとき、監視カメラはモニタに接続されており、監視カメラからコンポジット信号（複合映像信号）がモニタへ出力されることにより、監視カメラによる撮影映像がモニタに表示される。
【特許文献１】特開２００３−２５９４００号公報
【発明の開示】
【発明が解決しようとする課題】
【０００４】
上記のようにして解像度を測定する場合、前述の規格では白黒モニタを用いることになっているが、一般には、カラーモニタを用いて白黒表示させることが多い。その際、カラーキラーといわれる色信号を完全に除去する機能等が備えられた検査専用のカラーモニタを用いればよいが、このディスプレイは種々の機能が備えられているため高価である。そこで、安価な汎用のカラーモニタを用いて、色合い（クロマ）を調整して白黒表示させることが考えられるが、その場合、完全に色信号を除去することができず、解像度を正確に測定することができなかった。
【０００５】
本発明は上記のような課題を解決するためになされたもので、安価な汎用のカラーモニタを用いてビデオカメラの解像度を正確に測定することを可能にするモジュール及びビデオカメラを提供することを目的としている。
【課題を解決するための手段】
【０００６】
上記目的を達成するために、本発明のモジュールは、ビデオカメラからのコンポジット信号を入力する入力端子と、前記入力端子から入力されるコンポジット信号から輝度信号を抽出し出力する輝度信号抽出回路と、前記輝度信号抽出回路から出力される前記輝度信号を外部へ出力する出力端子とが備えられている。
【０００７】
ビデオカメラの解像度を測定する時は、このモジュールの入力端子をビデオカメラに接続し、出力端子をカラーモニタに接続し、ビデオカメラで解像度チャートを撮影する。ビデオカメラから出力されるコンポジット信号がモジュールへ入力されると、モジュールによって輝度信号のみがカラーモニタへ出力され、カラーモニタでは色信号が含まれない白黒映像が表示されるので、安価な汎用のカラーモニタを用いてビデオカメラの解像度を正確に測定することが可能になる。
【０００８】
また、本発明のビデオカメラは、コンポジット信号を外部へ出力するためのコンポジット信号端子と、輝度信号を外部へ出力するための輝度信号端子とが備えられている。
【０００９】
この構成によれば、輝度信号を出力する輝度信号端子を設けているので、解像度測定時には、輝度信号端子をカラーモニタに接続することによって、輝度信号のみがカラーモニタへ入力され、カラーモニタでは色信号が含まれない白黒映像が表示されるので、安価な汎用のカラーモニタを用いてビデオカメラの解像度を正確に測定することが可能になる。また、通常の撮影時には、コンポジット信号端子をカラーモニタに接続することによって、カラーモニタではカラー映像が表示される。
【００１０】
また、撮像素子から入力される電気信号を基に前記コンポジット信号と前記輝度信号とを生成し、前記コンポジット信号を前記コンポジット信号端子へ出力するとともに、前記輝度信号を前記輝度信号端子へ出力する回路が設けられていてもよい。
【００１１】
また、撮像素子から入力される電気信号に所定の処理を施すことにより前記コンポジット信号を生成し出力する信号処理回路と、前記信号処理回路から出力される前記コンポジット信号を入力し、前記コンポジット信号から前記輝度信号を抽出し、前記輝度信号端子へ出力する輝度信号抽出回路とが設けられ、前記コンポジット信号が前記信号処理回路から前記コンポジット信号端子へも出力されるように構成されていてもよい。
【００１２】
また、撮像素子から入力される電気信号に所定の処理を施すことにより前記輝度信号と色信号とを生成し出力する信号処理回路と、前記信号処理回路から出力される前記輝度信号と前記色信号とを入力し、前記輝度信号と前記色信号とを混合して前記コンポジット信号を生成し、前記コンポジット信号端子へ出力する混合回路とが設けられ、前記輝度信号が前記信号処理回路から前記輝度信号端子へも出力されるように構成されていてもよい。
【００１３】
また、前記コンポジット信号端子と前記輝度信号端子とに共用される１つの共通端子が設けられ、前記共通端子から前記コンポジット信号と前記輝度信号とが切り替えられて選択的に出力されるように構成されていてもよい。
【００１４】
この構成によれば、解像度測定時には、共通端子から輝度信号を出力させ、通常の撮影時には共通端子からコンポジット信号を出力させるようにし、端子数を減らすことができる。
【００１５】
ここで、前記共通端子から出力される前記コンポジット信号と前記輝度信号とを切り替えるための操作スイッチが設けられていてもよい。
【００１６】
この場合、操作スイッチを操作することにより、コンポジット信号と輝度信号とを容易に切り替えることができる。
【００１７】
また、撮像素子から入力される電気信号を基に前記コンポジット信号と前記輝度信号とを生成する第１の回路と、前記第１の回路により生成される前記コンポジット信号と前記輝度信号とを前記共通端子へ切り替えて出力するための第２の回路とが設けられていてもよい。
【００１８】
また、撮像素子から入力される電気信号に所定の処理を施すことにより前記コンポジット信号を生成し出力する信号処理回路と、前記信号処理回路から出力される前記コンポジット信号を入力し、前記コンポジット信号から前記輝度信号を抽出し出力する輝度信号抽出回路と、前記信号処理回路から出力される前記コンポジット信号と、前記輝度信号抽出回路から出力される前記輝度信号とを入力し、前記共通端子へ前記コンポジット信号と前記輝度信号とを切り替えて出力可能な切替回路とが設けられていてもよい。
【００１９】
また、撮像素子から入力される電気信号に所定の処理を施すことにより前記輝度信号と色信号とを生成し出力する信号処理回路と、前記信号処理回路から出力される前記輝度信号と前記色信号とを入力し、前記輝度信号と前記色信号とを混合して前記コンポジット信号を生成し出力する混合回路と、前記混合回路から出力される前記コンポジット信号と、前記信号処理回路から出力される前記輝度信号とを入力し、前記共通端子へ前記コンポジット信号と前記輝度信号とを切り替えて出力可能な切替回路とが設けられていてもよい。
【００２０】
また、撮像素子から入力される電気信号に所定の処理を施すことにより前記輝度信号と色信号とを生成し出力する信号処理回路と、前記信号処理回路から出力される前記色信号を入力し、前記色信号を出力する出力状態と無信号出力状態との切り替えが可能な切替回路と、前記信号処理回路から出力される前記輝度信号と前記切替回路の出力信号とを入力し、前記輝度信号と前記切替回路の出力信号とを混合した信号を前記共通端子へ出力する混合回路とが設けられていてもよい。
【００２１】
また、前記共通端子から出力される前記コンポジット信号と前記輝度信号との切り替えを制御する回路が設けられていてもよい。
【００２２】
また、外部から入力される外部制御信号に基づいて前記共通端子から出力される前記コンポジット信号と前記輝度信号とが切り替えられるように構成されていてもよい。
【発明の効果】
【００２３】
本発明は、以上に説明した構成を有し、安価な汎用のカラーモニタを用いてビデオカメラの解像度を正確に測定することを可能にするモジュール及びビデオカメラを提供することができるという効果を奏する。
【発明を実施するための最良の形態】
【００２４】
以下、本発明の好ましい実施の形態を、図面を参照しながら説明する。以下の実施の形態において、監視カメラはカラー撮影を行うビデオカメラであり、従来例で述べたＪＥＩＴＡ規格（ＥＩＡＪ  ＴＴＲ−４６０２Ａ）による解像度の測定を行う場合について説明する。
【００２５】
（実施の形態１）
図１は、本発明の実施の形態１のモジュールを用いて監視カメラ（ビデオカメラ）の解像度測定を行う場合の構成を示す概略図である。
【００２６】
本実施の形態のモジュール３には、そのケース３２内にＹ／Ｃ分離回路（輝度信号抽出回路）３１が備えられている。このＹ／Ｃ分離回路３１では、その入力端子３１ａから入力されたコンポジット信号（複合映像信号）を色信号と輝度信号とに分離し、そのうち輝度信号のみを取り出して出力端子３１ｂから出力するように構成されている。そして、このＹ／Ｃ分離回路３１の入力端子３１ａがモジュール３の外部入力端子３ａに接続され、輝度信号出力端子３１ｂが外部出力端子３ｂに接続された構成である。解像度測定時に、モジュール３の外部入力端子３ａと監視カメラ１のコンポジット信号端子１ａとをケーブル５によって接続し、外部出力端子３ｂと汎用のカラーモニタディスプレイ（以下、「カラーモニタ」と略す）２の映像信号入力端子２ａとをケーブル６によって接続する。
【００２７】
通常の撮影時には、監視カメラ１のコンポジット信号端子１ａをカラーモニタ２の映像信号入力端子２ａに接続することにより、監視カメラ１で撮影される映像がカラーモニタ２の画面にカラー表示される。
【００２８】
監視カメラ１の解像度を測定する時には、図１のように、監視カメラ１とカラーモニタ２との間にモジュール３を接続し、監視カメラ１で解像度チャート（ＥＩＡＪテストチャートＡ）４を撮影する。監視カメラ１から出力されるコンポジット信号がモジュール３へ入力される。モジュール３では、その内部のＹ／Ｃ分離回路３１によりコンポジット信号が色信号と輝度信号とに分離され、輝度信号のみが出力される。この輝度信号が、映像信号入力端子２ａからカラーモニタ２へ入力されると、カラーモニタ２の画面に解像度チャートが白黒表示される。そして、カラーモニタ２に表示される解像度チャートのくさびパターンの白と黒の縞模様が判別可能な位置の本数を、目視により測定する。
【００２９】
以上のように、Ｙ／Ｃ分離回路３１を内蔵したモジュール３によって、色信号と分離された輝度信号のみがカラーモニタ２へ入力され、カラーモニタ２では色信号が含まれない白黒映像が表示されるので、安価な汎用のカラーモニタ２を用いてカメラの解像度を正確に測定することが可能になる。
【００３０】
（実施の形態２）
図２は、本発明の実施の形態２の監視カメラ（ビデオカメラ）の解像度測定を行う場合の構成を示す概略図である。
【００３１】
本実施の形態の監視カメラ１Ａには、コンポジット信号（複合映像信号）が出力されるコンポジット信号端子１ａと、輝度信号が出力される輝度信号端子１ｂとが設けられている。
【００３２】
通常の撮影時には、監視カメラ１Ａのコンポジット信号端子１ａをカラーモニタ２の映像信号入力端子２ａにケーブルによって接続することにより、監視カメラ１Ａで撮影される映像がカラーモニタ２の画面にカラー表示される。
【００３３】
監視カメラ１Ａの解像度を測定する時には、図２のように、監視カメラ１Ａの輝度信号端子１ｂをカラーモニタ２の映像信号入力端子２ａにケーブル７によって接続し、監視カメラ１Ａで解像度チャート４を撮影する。この場合、監視カメラ１Ａから出力される輝度信号がカラーモニタ２へ入力され、カラーモニタ２の画面に解像度チャートが白黒表示される。そして、カラーモニタ２に表示される解像度チャートのくさびパターンの白と黒の縞模様が判別可能な位置の本数を、目視により測定する。
【００３４】
図３（ａ）、（ｂ）は、それぞれ、監視カメラ１Ａの一構成例の概略を示すブロック図である。
【００３５】
図３（ａ）に示す構成では、レンズ（図示せず）を通して受光した被写体の光学像を電気信号（以下、「撮像信号」という）に変換する電子部品であるＣＣＤ（Charge Coupled Device）型の撮像素子１１を備えている。そして、撮像素子１１から出力される撮像信号に増幅処理やフィルタリング処理等の所定の処理を施してコンポジット信号Ｍを生成し出力する信号処理回路１２Ａを備えている。コンポジット信号Ｍはコンポジット信号端子１ａとＹ／Ｃ分離回路（輝度信号抽出回路）１３とへ出力される。Ｙ／Ｃ分離回路１３では、入力されるコンポジット信号Ｍを色信号と輝度信号Ｙとに分離し、そのうち輝度信号Ｙのみを取り出して輝度信号端子１ｂへ出力するように構成されている。ここで、信号処理回路１２Ａは、コンポジット信号Ｍを出力するように構成されているＤＳＰ（Digital Signal Processor：デジタル信号プロセッサ）を用いて構成することができる。
【００３６】
図３（ｂ）に示す構成では、レンズ（図示せず）を通して受光した被写体の光学像を電気信号（撮像信号）に変換する電子部品であるＣＣＤ型の撮像素子１１を備えている。そして、撮像素子１１から出力される撮像信号に増幅処理やフィルタリング処理等の所定の処理を施して色信号Ｃ及び輝度信号Ｙを生成し出力する信号処理回路１２Ｂを備えている。色信号ＣはＹ／Ｃ混合回路１４へ出力され、輝度信号ＹはＹ／Ｃ混合回路１４と輝度信号端子１ｂとへ出力される。Ｙ／Ｃ混合回路１４では、入力される色信号Ｃと輝度信号Ｙとを混合してコンポジット信号Ｍを生成し、輝度信号端子１ｂへ出力する。ここで、信号処理回路１２Ｂは、色信号Ｃと輝度信号Ｙとを出力するように構成されているＤＳＰ（デジタル信号プロセッサ）を用いて構成することができる。
【００３７】
以上のように、監視カメラ１Ａに、輝度信号Ｙを出力する輝度信号端子１ｂを設け、解像度測定時には、輝度信号端子１ｂをカラーモニタ２の映像信号入力端子２ａに接続することによって、輝度信号のみがカラーモニタ２へ入力され、カラーモニタ２では色信号が含まれない白黒映像が表示されるので、安価な汎用のカラーモニタ２を用いてカメラの解像度を正確に測定することが可能になる。
【００３８】
（実施の形態３）
図４は、本発明の実施の形態３の監視カメラ（ビデオカメラ）の解像度測定を行う場合の構成を示す概略図である。
【００３９】
本実施の形態の監視カメラ１Ｂには、例えばディップスイッチからなる操作スイッチＳＷのオンオフ操作によりコンポジット信号（複合映像信号）と輝度信号とが切替えられて選択的に出力される共通端子１ｃが設けられ、通常の撮影時も解像度測定時も共通端子１ｃをカラーモニタ２の映像信号入力端子２ａにケーブル７によって接続して使用される。
【００４０】
通常の撮影時には、操作スイッチＳＷをオフ状態にしておくことにより、監視カメラ１Ｂの共通端子１ｃからコンポジット信号が出力されて、カラーモニタ２の映像信号入力端子２ａに入力され、監視カメラ１Ｂで撮影される映像がカラーモニタ２の画面にカラー表示される。
【００４１】
監視カメラ１Ｂの解像度を測定する時には、操作スイッチＳＷをオン状態にしておき、監視カメラ１Ｂで解像度チャート４を撮影する。この場合、監視カメラ１Ｂの共通端子１ｃから輝度信号が出力されて、カラーモニタ２の映像信号入力端子２ａに入力され、カラーモニタ２の画面に解像度チャートが白黒表示される。そして、カラーモニタ２に表示される解像度チャートのくさびパターンの白と黒の縞模様が判別可能な位置の本数を、目視により測定する。
【００４２】
図５（ａ）〜（ｃ）は、それぞれ、監視カメラ１Ｂの一構成例の概略を示すブロック図である。
【００４３】
図５（ａ）に示す構成では、図３（ａ）に示す構成と同様の撮像素子１１、信号処理回路１２Ａ及びＹ／Ｃ分離回路１３を備えている。そして、さらに、切替回路１５と切替信号発生回路１７とを備えている。切替信号発生回路１７は、操作スイッチＳＷ（図４）がオン状態になるとハイレベルの切替信号Ｓを出力し、操作スイッチＳＷがオフ状態になるとローレベルの切替信号Ｓを出力するように構成されている。切替回路１５は、例えば入力極性が異なる２つのＣＭＯＳスイッチを用いて構成することができ、信号処理回路１２Ａから出力されるコンポジット信号Ｍと、Ｙ／Ｃ分離回路１３から出力される輝度信号Ｙとを入力し、例えば切替信号Ｓがローレベルのときにコンポジット信号Ｍを共通端子１ｃへ出力し、切替信号Ｓがハイレベルのときに輝度信号Ｙを共通端子１ｃへ出力するように構成されている。したがって、通常の撮影時には、操作スイッチＳＷをオフ状態にしておくことで切替信号Ｓがローレベルとなり共通端子１ｃからコンポジット信号Ｍが出力され、解像度の測定時には、操作スイッチＳＷをオン状態にしておくことで切替信号Ｓがハイレベルとなり共通端子１ｃから輝度信号Ｙが出力される。
【００４４】
図５（ｂ）に示す構成では、図３（ｂ）に示す構成と同様の撮像素子１１、信号処理回路１２Ｂ及びＹ／Ｃ混合回路１４を備えている。そして、さらに、切替回路１５と切替信号発生回路１７とを備えている。切替信号発生回路１７は、操作スイッチＳＷ（図４）がオン状態になるとハイレベルの切替信号Ｓを出力し、操作スイッチＳＷがオフ状態になるとローレベルの切替信号Ｓを出力するように構成されている。切替回路１５は、例えば入力極性が異なる２つのＣＭＯＳスイッチを用いて構成することができ、Ｙ／Ｃ混合回路１４から出力されるコンポジット信号Ｍと、信号処理回路１２Ｂから出力される輝度信号Ｙとを入力し、例えば切替信号Ｓがローレベルのときにコンポジット信号Ｍを共通端子１ｃへ出力し、切替信号Ｓがハイレベルのときに輝度信号Ｙを共通端子１ｃへ出力するように構成されている。したがって、通常の撮影時には、操作スイッチＳＷをオフ状態にしておくことで切替信号Ｓがローレベルとなり共通端子１ｃからコンポジット信号Ｍが出力され、解像度の測定時には、操作スイッチＳＷをオン状態にしておくことで切替信号Ｓがハイレベルとなり共通端子１ｃから輝度信号Ｙが出力される。
【００４５】
図５（ｃ）に示す構成では、図３（ｂ）に示す構成と同様の撮像素子１１、信号処理回路１２Ｂ及びＹ／Ｃ混合回路１４を備えている。そして、さらに、切替回路１６を信号処理回路１２ＢとＹ／Ｃ混合回路１４との間の色信号Ｃの信号線の途中に挿入し、切替回路１６を制御する切替信号発生回路１７を備えている。切替信号発生回路１７は、操作スイッチＳＷ（図４）がオン状態になるとハイレベルの切替信号Ｓを出力し、操作スイッチＳＷがオフ状態になるとローレベルの切替信号Ｓを出力するように構成されている。切替回路１６は、例えばＣＭＯＳスイッチを用いて構成することができ、信号処理回路１２Ｂから出力される色信号Ｃを入力し、例えば切替信号Ｓがローレベルのときには色信号ＣをＹ／Ｃ混合回路１４へ出力し、切替信号Ｓがハイレベルのときには色信号ＣをＹ／Ｃ混合回路１４へ出力しない（何も出力しない無信号出力状態）ように構成されている。Ｙ／Ｃ混合回路１４では、切替回路１６から色信号Ｃが入力される場合には、その色信号Ｃと、信号処理回路１２Ｂから入力される輝度信号Ｙとを混合してコンポジット信号を生成し、共通端子１ｃへ出力し、切替回路１６から色信号Ｃが入力されない場合には、信号処理回路１２Ｂから入力される輝度信号Ｙを共通端子１ｃへ出力するように構成されている。したがって、通常の撮影時には、操作スイッチＳＷをオフ状態にしておくことで切替信号Ｓがローレベルとなり色信号ＣがＹ／Ｃ混合回路１４へ入力され、共通端子１ｃからコンポジット信号Ｍが出力され、解像度の測定時には、操作スイッチＳＷをオン状態にしておくことで切替信号Ｓがハイレベルとなり色信号ＣがＹ／Ｃ混合回路１４へ入力されず、共通端子１ｃから輝度信号Ｙが出力される。
【００４６】
以上のように、監視カメラ１Ｂに、操作スイッチＳＷのオンオフ操作によりコンポジット信号と輝度信号とが選択的に切替えられて出力される共通端子１ｃを設け、解像度測定時には、共通端子１ｃから輝度信号を出力させることによって、輝度信号のみがカラーモニタ２へ入力され、カラーモニタ２では色信号が含まれない白黒映像が表示されるので、安価な汎用のカラーモニタ２を用いてカメラの解像度を正確に測定することが可能になる。
【００４７】
また、本実施の形態３において、操作スイッチＳＷのオンオフ操作の他、監視カメラ１Ｂの内部回路からの制御信号によって共通端子１ｃからコンポジット信号と輝度信号とが選択的に切替えられて出力されるように構成されてあってもよい。例えば、監視カメラ１Ｂの内部に設けられているある特定回路（図示せず）からの制御信号（内部制御信号）が切替信号発生回路１７に入力されるようにしておき、その内部制御信号によっても、切替信号発生回路１７から出力される切替信号Ｓのレベルが制御されるように構成されてあってもよい。カラー映像よりも白黒映像の方が高解像度であるので、例えば、セキュリティ等の観点から高い解像度での撮影が要求される場合に、特定回路から切替信号発生回路１７へ内部制御信号を入力するようにしておき、内部制御信号が入力された場合に切替信号発生回路１７から出力される切替信号Ｓのレベルがハイレベルになるようにし、内部制御信号が入力されない場合には切替信号発生回路１７から出力される切替信号Ｓのレベルがローレベルになるように構成しておけばよい。これにより、高い解像度での撮影が要求されない場合には、監視カメラ１Ｂの共通端子１ｃからコンポジット信号Ｍが出力され、カラーモニタ２にはカラー映像が表示され、高い解像度での撮影が要求される場合には、監視カメラ１Ｂの共通端子１ｃから輝度信号Ｙが出力され、カラーモニタ２には白黒映像が表示される。通常、監視カメラシステムでは、監視カメラ１Ｂで撮影され、カラーモニタ２で表示される映像が記録されるレコーダ（図示せず）が接続されているので、後でレコーダに記録された映像をチェックする場合にも有用である。
【００４８】
また、本実施の形態３において、操作スイッチＳＷのオンオフ操作の他、外部機器が接続される外部制御端子ＩＮ（図４）を設けて、外部機器から出力される制御信号によって共通端子１ｃからコンポジット信号と輝度信号とが選択的に切替えられて出力されるように構成されてあってもよい。例えば、外部機器から出力される制御信号（外部制御信号）が外部制御端子ＩＮを介して切替信号発生回路１７に入力されるようにしておき、その外部制御信号によっても、切替信号発生回路１７から出力される切替信号Ｓのレベルが制御されるように構成されてあってもよい。カラー映像よりも白黒映像の方が高解像度であるので、例えば、セキュリティ等の観点から高い解像度での撮影が要求される場合に、外部機器から外部制御信号を入力するようにしておき、外部制御信号が入力された場合には切替信号発生回路１７から出力される切替信号Ｓのレベルがハイレベルになるようにし、外部制御信号が入力されない場合には切替信号発生回路１７から出力される切替信号Ｓのレベルがローレベルになるように構成しておけばよい。これにより、高い解像度での撮影が要求されない場合には、監視カメラ１Ｂの共通端子１ｃからコンポジット信号Ｍが出力され、カラーモニタ２にはカラー映像が表示され、高い解像度での撮影が要求される場合には、監視カメラ１Ｂの共通端子１ｃから輝度信号Ｙが出力され、カラーモニタ２には白黒映像が表示される。通常、監視カメラシステムでは、監視カメラ１Ｂで撮影され、カラーモニタ２で表示される映像が記録されるレコーダ（図示せず）が接続されているので、後でレコーダに記録された映像をチェックする場合にも有用である。
【産業上の利用可能性】
【００４９】
本発明は、安価な汎用のカラーモニタを用いてビデオカメラの解像度を正確に測定することを可能にするモジュール及びビデオカメラ等として有用である。
【図面の簡単な説明】
【００５０】
【図１】本発明の実施の形態１のモジュールを用いて監視カメラの解像度測定を行う場合の構成を示す概略図である。
【図２】本発明の実施の形態２の監視カメラの解像度測定を行う場合の構成を示す概略図である。
【図３】（ａ）、（ｂ）は、それぞれ、実施の形態２の監視カメラの一構成例の概略を示すブロック図である。
【図４】本発明の実施の形態３の監視カメラの解像度測定を行う場合の構成を示す概略図である。
【図５】（ａ）〜（ｃ）は、それぞれ、実施の形態３の監視カメラの一構成例の概略を示すブロック図である。
【符号の説明】
【００５１】
１、１Ａ、１Ｂ  監視カメラ
１ａ  監視カメラのコンポジット信号端子
１ｂ  監視カメラの輝度信号端子
１ｃ  監視カメラの共通端子
２  カラーモニタディスプレイ
３  モジュール
３ａ  外部入力端子
３ｂ  外部出力端子
３１  Ｙ／Ｃ分離回路
３２  ケース
４  解像度チャート
１１  撮像素子
１２Ａ，１２Ｂ  信号処理回路
１３  Ｙ／Ｃ分離回路
１４  Ｙ／Ｃ混合回路
１５  切替回路
１６  切替回路
１７  切替信号発生回路
【図１】
2008228172.tif 000003
【図２】
2008228172.tif 000004
【図３】
2008228172.tif 000005
【図４】
2008228172.tif 000006
【図５】
2008228172.tif 000007